(57)【要約】【課題】耕運機における耕運爪軸の回動を規制することができる回動規制用治具を提供する。【解決手段】耕運機の耕運爪軸１０の回動を規制するための治具であって、耕運爪軸１０の周側面上に突設されて耕運爪１２を固定する耕運爪ホルダー１１に着脱可能に掛止される第１の掛止具２と、この第１の掛止具２に固設される操作棒３と、この操作棒３の軸方向にスライド可能に設けられ、耕運爪軸１０を被覆するリアカバー１５の縁部１５ａに掛止される第２の掛止具４と、を有することを特徴とする回動規制用治具１による。【選択図】図２
2018000193.tif 000002
【特許請求の範囲】
【請求項１】
耕運機の耕運爪軸の回動を規制するための治具であって、
前記耕運爪軸の周側面上に突設されて耕運爪を固定する耕運爪ホルダーに着脱可能に掛止される第１の掛止具と、
この第１の掛止具に固設される操作棒と、
この操作棒の軸方向にスライド可能に設けられ、前記耕運爪軸を被覆するリアカバーの縁部に掛止される第２の掛止具と、を有することを特徴とする回動規制用治具。
【請求項２】
前記第１の掛止具は、前記耕運爪ホルダーの外側面を囲むように設けられる保持部と、
この保持部に形成される切欠き部と、を具備し、
この切欠き部から前記耕運爪を前記耕運爪ホルダーに固定するナットが裸出していることを特徴とする請求項１に記載の回動規制用治具。
【請求項３】
前記第２の掛止具に固設される環状体又は筒体を備え、
前記環状体又は前記筒体の中空部内に前記操作棒が挿通されることを特徴とする請求項１又は請求項２に記載の回動規制用治具。
【請求項４】
前記第２の掛止具のスライドを規制するスライド規制部材を有することを特徴とする請求項１乃至請求項３のいずれか１項に記載の回動規制用治具。
【請求項５】
前記スライド規制部材は、紐又は弾性材からなるバンド体であり、
前記操作棒は、その周側面上に前記紐又は前記バンド体を掛止するための突部又はループを備えていることを特徴とする請求項４に記載の回動規制用治具。
【請求項６】
前記スライド規制部材は、前記操作棒の外側面に押し当てられる滑り止め材であることを特徴とする請求項４に記載の回動規制用治具。
【請求項７】
前記第２の掛止具は、かぎ状に折り曲げられてなる板体と、この板体を厚み方向に貫通しながら設けられるネジとを有し、
前記板体は、この板体に穿設され前記操作棒を挿通させるための一対の挿通孔と、前記板体において一対の前記挿通孔の間に設けられ前記ネジを螺挿するためのネジ孔と、を備えていることを特徴とする請求項１又は請求項２に記載の回動規制用治具。
【請求項８】
前記ネジは、その頭部にハンドルを備えていることを特徴とする請求項７に記載の回動規制用治具。
【発明の詳細な説明】
【技術分野】
【０００１】
本発明は、耕運機における耕運爪軸の回動を規制するための後付けタイプの治具に関する。
【背景技術】
【０００２】
一般に、耕運機の耕運爪は、その使用により容易に摩耗するため、耕運爪の摩耗の程度に応じて定期的に耕運爪を交換する必要があった。通常、耕運爪は、耕運爪軸の周側面上に所望間隔毎でかつ所望角度毎に多数固設されている。  
また、個々の耕運爪は、耕運爪軸の周側面上に突設される耕運爪ホルダー（ブラケット）にボルト及びナットを用いて個別に固設されている。従って、耕運爪を交換する際には、耕運爪ホルダー（ブラケット）上に配設されるナットを、スパナレンチ等の手工具を用いて取り外す必要があった。
そして、耕運爪を固定するナットの取外し時に、スパナレンチ等の手工具を操作することにより耕運爪軸にトルクが作用し、耕運爪軸が意図せず回動するおそれがあった。この場合、耕運爪軸の意図しない回動に伴って耕運爪が回動し、耕運爪が作業者に当たって怪我をするおそれがあり、極めて危険であった。
一般に、耕運爪の交換時には、耕運ギア（ＰＴＯ；Power  take-off）をＯＮの状態することが推奨されているが、耕運ギアをＯＮにしたとしても耕運爪軸の回動を完全に規制することはできなかった。
また、耕運爪は、耕運爪軸の周側面上に所望角度毎に取付けられているので、耕運爪の交換作業は、耕運爪を取り換える作業と、耕運爪軸を所望角度ずつ回動させる作業を繰り返す必要がある。この場合、耕運機が大型である場合は、耕運機の操縦席に配される耕運ギアと耕運爪軸との間を作業者が何度も往復する必要があり、極めて煩雑であった。
【０００３】
本願発明と同じ解決すべき課題を有する先行技術文献は現時点で発見されていないが、関連する技術分野において耕運爪軸に直接又は間接的に掛止して用いる治具としては下記に示すようなものが知られている。
【先行技術文献】
【特許文献】
【０００４】
【特許文献１】実用新案登録第３１８９５９９号公報
【特許文献２】実公昭４７−１４４１８号公報
【発明の概要】
【発明が解決しようとする課題】
【０００５】
特許文献１に開示される考案は、耕運爪軸のカバーの裏側に付着した泥を除去するためのものであり、本願発明が目的とするような耕運爪軸の回動を規制するためのものではない。
【０００６】
特許文献２に開示される考案は、耕運爪軸に対して、ドラムローターを着脱可能に固定するための治具であり、特許文献２に開示される考案も耕運爪軸の回動を規制するためのものではない。
【０００７】
本発明はかかる従来の事情に対処してなされたものであり、着脱が容易で、耕運爪の交換作業時に耕運爪軸の意図しない回動を確実に規制することができる回動規制用治具を提供することにある。
【課題を解決するための手段】
【０００８】
上記課題を解決するため第１の発明である回動規制用治具は、耕運機の耕運爪軸の回動を規制するための治具であって、耕運爪軸の周側面上に突設されて耕運爪を固定する耕運爪ホルダーに着脱可能に掛止される第１の掛止具と、この第１の掛止具に固設される操作棒と、この操作棒の軸方向にスライド可能に設けられ、耕運爪軸を被覆するリアカバーの縁部に掛止される第２の掛止具と、を有することを特徴とするものである。
上記構成の第１の発明において、第１の掛止具は、耕運爪軸の周側面上に突設される耕運爪ホルダー（ブラケット）を保定するという作用を有する。また、この第１の掛止具に固設される操作棒は、第１の掛止具を間接的に操作可能にするという作用を有する。さらに、第２の掛止具は、操作棒の第１の掛止具が固設されない側の端部側を、耕運機のリアカバーの縁部に固定するという作用を有する。
そして、第２の掛止具がリアカバーの縁部に掛止（固定）されることで、第１の掛止具と第２の掛止具との距離を変更できなくなる。この結果、耕運爪軸の回動動作が物理的に妨げられて、耕運爪軸の回動を規制するという作用を有する。
【０００９】
第２の発明である回動規制用治具は、第１の発明において、第１の掛止具は、耕運爪ホルダーの外側面を囲むように設けられる保持部と、この保持部に形成される切欠き部と、を具備し、この切欠き部から耕運爪を耕運爪ホルダーに固定するナットが裸出していることを特徴とするものである。
上記構成の第２の発明は、第１の発明と同じ作用を有する。また、第１の掛止具における保持部は、耕運爪ホルダーを保持するという作用を有する。また、この保持部に形成される切欠き部は、耕運爪を耕運爪ホルダーに固定するナットを裸出させるという作用を有する。そして、保持部からナットが常に裸出していることで、第１の掛止具（保持部）を耕運爪ホルダーに装着したままの状態で、手工具等を用いてナットを緩める又は締め付ける作業を行うことを可能にするという作用を有する。
また、第２の発明によれば、耕運爪ホルダーの外側面上に配されるナットを避けて耕運爪ホルダーに保持部を配置することができるので、耕運爪ホルダーと保持部との密着性が高められる。これにより、第１の掛止具による耕運爪ホルダーのホールド効果を高めるという作用を有する。
【００１０】
第３の発明である回動規制用治具は、第１又は第２の発明において、第２の掛止具に固設される環状体又は筒体を備え、この環状体又は筒体の中空部内に操作棒が挿通されることを特徴とするものである。
上記構成の第３の発明は、第１又は第２の発明と同じ作用を有する。また、第３の発明は、第１又は第２の発明における第２の掛止具のスライド構造を具体的に特定したものである。つまり、第３の発明では、第２の掛止具が環状体又は筒体を備え、この環状体又は筒体の中空部内に操作棒を挿通されることで、操作棒の軸方向に第２の掛止具をスライドすることが可能になっている。
【００１１】
第４の発明である回動規制用治具は、第１乃至第３のいずれかの発明であって、第２の掛止具のスライドを規制するスライド規制部材を有することを特徴とするものである。
上記構成の第４の発明は、第１乃至第３のいずれかの発明と同じ作用を有する。
さらに、第４の発明は、スライド規制部材を有することで、操作棒上の所望の位置に第２の掛止具を一時的に固定又は保定することを可能にするという作用を有する。
【００１２】
第５の発明である回動規制用治具は、第４の発明において、スライド規制部材は、紐又は弾性材からなるバンド体であり、操作棒は、その周側面上に紐又はバンド体を掛止するための突部又はループを備えていることを特徴とするものである。
上記構成の第５の発明は、第４の発明におけるスライド規制部材を具体的に特定したものである。従って、第５の発明は、第４の発明と同じ作用に加えて、スライド規制部材としての紐又はバンド体を備え、かつ、この紐又はバンド体を操作棒に掛止するための突部又はループを備えていることで、シンプルな構造で、その取扱いを容易にしながら第２の掛止具４のスライドを確実に規制するという作用を有する。
【００１３】
第６の発明である回動規制用治具は、第４の発明において、スライド規制部材は、操作棒の外側面に押し当てられる滑り止め材であることを特徴とするものである。
上記構成の第６の発明は、第４の発明における第２の掛止具のスライド規制部材を具体的に特定したものである。従って、第６の発明は、第４の発明と同じ作用に加えて、操作棒の外側面に押し当てられる滑り止め材を備えることで、第２の掛止具４のスライドを規制しつつ、第６の発明の形態をコンパクトにするという作用を有する。
【００１４】
第７の発明は、第１又は第２の発明において、第２の掛止具は、かぎ状に折り曲げられてなる板体と、この板体を厚み方向に貫通しながら設けられるネジとを有し、板体は、この板体に穿設され操作棒を挿通させるための一対の挿通孔と、板体において一対の挿通孔の間に設けられネジを螺挿するためのネジ孔と、を備えていることを特徴とするものである。
上記構成の第７の発明は、先の第１又は第２の発明による作用と同じ作用に加えて、かぎ状に折り曲げられてなる板体は、その端部が耕運爪軸を被覆するリアカバーの縁部に掛止されることで第２の掛止具として作用する。
また、この板体のかぎ状部に穿設される一対の挿通孔に操作棒が挿設されることで、第２の掛止具は操作棒の軸方向にスライド可能となる。
さらに、この板体が一対の挿通孔の間にネジ孔を備えており、このネジ孔にネジが螺挿されていることで、ネジ孔から導出されるネジの端部を操作棒の周側面に当接させて、操作棒上における板体（第１の掛止具）のスライドを規制するという作用を有する。
【００１５】
第８の発明は、第７の発明において、ネジは、その頭部にハンドルを備えていることを特徴とするものである。
上記構成の第８の発明は、第７の発明による作用と同じ作用に加えて、ネジがその頭部にハンドルを備えていることで、ネジをその軸方向を基軸に回転させる際の操作性を向上させるという作用を有する。
【発明の効果】
【００１６】
上述のような第１の発明によれば、耕運ギアのＯＮ/ＯＦＦの切替え操作の有無に関わりなく耕運爪軸の回動を確実に規制することができる。
また、第１の発明によれば、耕運爪軸とリアカバーの間に回動規制用治具を設置した後は、耕運爪軸に対して、耕運爪を固定するナットの取外しに必要な大きなトルクを作用させた場合でも、作業者の意に反して耕運爪軸が不意に回動してしまうようなことがない。この結果、作業者は耕運爪の交換作業を安全に行うことができる。
また、第１の発明である回動規制用治具の着脱作業は、耕運爪軸の傍らで行うことができるので耕運爪軸の回動の規制とその解除を行うにあたり、作業者が耕運ギアの操作部と耕運爪軸との間を都度往復する必要がない。この結果、耕運爪の交換作業を効率良く行うことができる。
【００１７】
第２の発明によれば、第１の発明と同じ効果に加えて、第１の掛止具を構成する保持具を、耕運爪ホルダーの外側面上に配されるナットを避けながら耕運爪ホルダーにフィットさせることができる。
この場合、耕運爪ホルダーへの第１の掛止具の着脱を容易にできるだけでなく、耕運爪ホルダーと、第１の掛止具の保持具との密着性を高めることができる。
この結果、耕運爪の交換時に耕運爪軸に対して耕運爪軸を回動させるようなトルクが作用した場合でも、耕運爪軸の回動を保持具（第１の掛止具）により確実に規制することができる。
また、第２の発明によれば、第１の掛止具の保持具を、耕運爪ホルダーに装着した状態のまま、耕運爪ホルダーの外側面上に配されるナットを緩める又は締め付ける操作を行うことができる。このように、第２の発明によれば、第１の掛止具が、耕運爪の交換の妨げにならない。
よって、第２の発明によれば、耕運爪の交換作業に支障をきたすことなく、使用時の信頼性が高い回動規制用治具を提供することができる。
【００１８】
第３の発明によれば、上述の第１又は第２の発明と同じ効果に加えて、操作棒上における第２の掛止具のスライド構造をシンプルにすることができる。
このような第３の発明によれば、操作性が良好で、かつ、信頼性の高い回動規制用治具を廉価に製造して提供することができる。
【００１９】
第４の発明によれば、第１乃至第３のそれぞれの発明と同じ効果に加えて、スライド規制部材を備えることで、必要に応じて操作棒上の所望の位置に、第２の掛止具を固定又は保定しておくことができる。
このようなスライド規制部材を備えていなくとも、本発明に係る回動規制用治具により、耕運爪軸の回動を確実に規制することができるが、第４の発明が、スライド規制部材を備えることで、操作棒やリアカバーから第２の掛止具が意図せず外れてしまうのを防止できる。これにより、第４の発明の使用時に、意図せず操作棒やリアカバーから第２の掛止具が外れて、耕運爪軸が回動してしまい作業者が怪我をするような事態が起こるリスクを低減することができる。
【００２０】
第５の発明は、第４の発明における、スライド規制部材の形態を具体的に特定したものであり、第４の発明と同じ効果を有する。
また、第５の発明では、スライド規制部材を、紐又はバンド体とすることで、回動規制用治具の全体構造をシンプルにすることができる。この結果、第５の発明である回動規制用治具の製造コストを低減するという効果も発揮される。
【００２１】
第６の発明も、第４の発明における、スライド規制部材を具体的に特定したものであり、第４の発明と同じ効果を有する。
また、第６の発明では、スライド規制部材として操作棒の外側面に押し当てられる滑り止め材を備えることで、操作棒上の所望の位置に第２の掛止具４を固定又は保定させることを可能にしつつ、第６の発明に係る回動規制用治具の外形をシンプルでかつコンパクトにすることができる。
よって、第６の発明によれば、高機能で、かつ、コンパクトな回動規制用治具を製造して提供することができる。
【００２２】
第７の発明は、第１又は第２の発明における第１の掛止具及びそのスライド規制部材の形態を具体的に特定したものである。
このような第７の発明によれば、操作棒上において第１の掛止具を自由にスライドさせるとともに、操作棒上の所望の位置に第７の発明を、ネジを用いて固定しておくことができる。
さらに、第７の発明によれば、第１の掛止具を一対の挿通孔及びネジ孔を有する折り曲げた板体により構成することができるので、その構造を極めてシンプルにすることができる。
これにより、第１の掛止具及びそのスライド規制構造の生産性を向上させるとともに、製造コストを廉価にできるという効果を有する。
この結果、第７の発明を効率良く生産して、廉価に提供することができる。
【００２３】
第８の発明は、第７の発明による作用と同じ作用に加えて、ネジの頭部にハンドルを備えていることで、ネジをその中心軸を基軸に回転させる作業を工具を用いることなく素手で行うことが可能になる。
つまり、ネジの操作に工具を用いる必要がなくなるため、第８の発明の操作性を大幅に向上させることができる。
【図面の簡単な説明】
【００２４】
【図１】本発明の実施の形態に係る回動規制用治具の概念図である。
【図２】本発明の実施の形態に係る回動規制用治具の使用状態図である。
【図３】本発明の実施の形態に係る回動規制用治具の第１の掛止具を耕運爪ホルダーに掛止した様子を示す部分概念図である。
【図４】本発明の実施の形態に係る回動規制用治具のスライド規制部材の変形例を示す軸方向断面図である。
【図５】（ａ）本発明の実施の形態に係る回動規制用治具のスライド規制部材の他の変形例を示す軸方向に対する垂直断面図であり、（ｂ）他の変形例に係るスライド規制部材により筒体のスライドが規制されている状態を示す軸方向に対する垂直断面図である。
【図６】（ａ）本発明の別の変形例に係る回動規制用治具の斜視図であり、（ｂ）同回動規制用治具の側面図である。
【図７】本発明の別の変形例に係る回動規制用治具における第１の掛止具の斜視図である。
【図８】（ａ）本発明の別の変形例に係る回動規制用治具におけるネジを除いた第２の掛止具の斜視図であり、（ｂ）同回動規制用治具における第２の掛止具の側面図であり、（ｃ）同回動規制用治具における第２の掛止具の使用状態を説明する側面図である。
【発明を実施するための形態】
【００２５】
本発明の実施の形態に係る回動規制用治具について図１乃至図３を参照しながら詳細に説明する。
図１は本発明の実施の形態に係る回動規制用治具の概念図であり、図２は本発明の実施の形態に係る回動規制用治具の使用状態図である。また、図３は本発明の実施の形態に係る回動規制用治具の第１の掛止具を耕運爪ホルダーに掛止した様子を示す部分概念図である。
はじめに、本実施の形態に係る回動規制用治具１の基本構造について図１，２を参照しながら詳細に説明する。
図２に示すように、本実施の形態に係る回動規制用治具１は、耕運機の耕運爪軸１０と、この耕運爪軸１０を被覆するリアカバー１５の間に掛架されて用いられるものである。
このような本実施の形態に係る回動規制用治具１は、図１，２に示すように、耕運爪軸１０の周側面上に突設される耕運爪ホルダー１１（ブラケット）に着脱可能に掛止される第１の掛止具２と、この第１の掛止具２に一体に固設される操作棒３と、この操作棒３の軸方向にスライド可能に設けられ、リアカバー１５の縁部１５ａに掛止される第２の掛止具４とにより構成されるものである。
【００２６】
このような本実施の形態に係る回動規制用治具１によれば、耕運機の耕運爪軸１０の周側面上に突設される任意の耕運爪ホルダー１１と、この耕運爪ホルダー１１から最短距離にあるリアカバー１５の縁部１５ａとが、操作棒３を介して一体につながった状態にして、任意の耕運爪ホルダー１１とリアカバー１５の縁部１５ａとの距離を不変にすることができる。これにより、本実施の形態に係る回動規制用治具１がその中心軸を基軸に回動するのを好適に規制することができる。
つまり、本実施の形態に係る回動規制用治具１によれば、耕運爪軸１０上に突設される耕運爪ホルダー１１にボルト１３ａ及びナット１３ｂにより着脱可能に取り付けられた耕運爪１２を、作業者が耕運爪ホルダー１１から取り外そうとして、耕運爪軸１０にトルクを作用させた際に、作業者の意に反して耕運爪軸１０が回動してしまうのを防止することができる。
これに対して、本実施の形態に係る回動規制用治具１を用いない場合は、耕運爪１２の交換作業時に、作業者が耕運爪軸１０に対して作用させたトルクにより耕運爪軸１０が不意に回動してしまい、これに伴って耕運爪１２が回動して、回動した耕運爪１２により作業者が怪我をするおそれがあり、極めて危険であった。従って、本実施の形態に係る回動規制用治具１を用いることでこのような事態を確実に回避することができる。
また、本実施の形態に係る回動規制用治具１を用いることによる効果は、耕運機の耕運ギア（ＰＴＯ）をＯＮにして耕運爪軸１０の回動を規制する場合のように、耕運爪軸１０を単に回動し難くするというものではなく、耕運爪軸１０を完全に回動不能な状態にするというものである。このため、本実施の形態に係る回動規制用治具１によれば、耕運爪１２の交換時の作業者の安全を著しく向上させることができる。
【００２７】
さらに、本実施の形態に係る回動規制用治具１では、操作棒３上に第２の掛止具４をスライド可能に設けることで、リアカバー１５への本実施の形態に係る回動規制用治具１の着脱が容易になる。
つまり、本実施の形態に係る回動規制用治具１では、操作棒３上に第２の掛止具４がスライド可能に設けられていることで、耕運爪ホルダー１１に第１の掛止具２を装着した後に、第２の掛止具４を、操作棒３上をスライドさせるだけでリアカバー１５の縁部１５ａに第２の掛止具４を掛止することができる。
また、本実施の形態に係る回動規制用治具１を取り外す場合は、リアカバー１５の縁部１５ａに掛止される第２の掛止具４を取り外してから、耕運爪軸１０の耕運爪ホルダー１１から第１の掛止具２を取り外せばよい。
つまり、極めて簡単な操作で耕運爪軸１０（耕運爪ホルダー１１）及びリアカバー１５への回動規制用治具１の取付け又は取り外し作業を完了することができる。
なお、操作棒３の軸方向に第２の掛止具４をスライド可能にするための構造については、図示されるものに特定される必要はなく、操作棒３上において掛止具４をスライドさせることができれば、どのような構造でもよい。
【００２８】
次に、図１乃至図３を参照しながら本実施の形態に係る回動規制用治具１についてさらに詳細に説明する。
本実施の形態に係る回動規制用治具１における第１の掛止具２は、図１乃至図３に示すように、耕運爪ホルダー１１の外側面を囲むように設けられる保持部２ａと、この保持部２ａに形成される切欠き部２ｂとからなり、この切欠き部２ｂから耕運爪ホルダー１１の周側面上に配されるナット１３ｂを裸出させたものでもよい。
この場合、耕運爪ホルダー１１の周側面上に第１の掛止具２を掛止する際に、保持部２ａを耕運爪ホルダー１１の周側面上に密着させることができるので、第１の掛止具２による耕運爪ホルダー１１の保定効果を確実に発揮させることができる。
また、保持部２ａに切欠き部２ｂが形成されていることで、耕運爪１２が装着された耕運爪ホルダー１１に第１の掛止具２を掛止する際に、この切欠き部２ｂから保持部２ａの中空部内に、耕運爪１２や耕運爪ホルダー１１を出し入れすることができる。これにより、耕運爪ホルダー１１の周側面上への、第１の掛止具２（保持部２ａ）の着脱作業をスムーズに行うことができる。
さらに、上述のような第１の掛止具２を有する回動規制用治具１によれば、耕運爪ホルダー１１に保持部２ａを掛止した際に、耕運爪ホルダー１１の周側面上に配されるナット１３ｂを、保持部２ａに形成される切欠き部２ｂから裸出させることができる（図２，３を参照）。このため、耕運爪ホルダー１１に第１の掛止具２を掛止したままの状態で、その切欠き部２ｂから裸出するナット１３ｂを、手工具等を用いて緩める又は締める作業を行うことができる。
つまり、上述のような第１の掛止具２を有する回動規制用治具１を耕運爪軸１０に掛止したまま、耕運爪１２の交換作業を行うことができる。
通常、耕運爪ホルダー１１においては、ボルト１３ａが耕運爪ホルダー１１をその厚み方向に貫通して設けられている。このため、本実施の形態に係る回動規制用治具１を用いる場合は、耕運爪ホルダー１１から耕運爪１２を固定するボルト１３ａを抜き取るために、耕運爪ホルダー１１から一旦第１の掛止具２を取り外す必要がある。
また、この作業が煩雑である場合は、第１の掛止具２において、切欠き部２ｂと対向する位置の保持部２ａに、耕運爪ホルダー１１に対してボルト１３ａを着脱するために形成されている六角穴２０（図２を参照）を常時裸出させておくことができるような別の切欠き部（第２の切欠き部；図示せず）を設けておいてもよい。
【００２９】
これは、通常、耕運爪１２は、耕運爪軸１０の周側面上に突設される耕運爪ホルダー１１（ブラケット）にボルト１３ａ及びナット１３ｂ、並びに、必要に応じてワッシャー１４を用いて固定される（図２，３を参照）。
この場合、耕運爪ホルダー１１にボルト１３ａを挿通させるための貫通孔が耕運爪軸１０の軸方向と平行（略平行の概念も含む）に形成されている。さらに、耕運爪ホルダー１１に形成されるボルト挿通孔には、ボルト１３ａの頭部を収容可能な六角穴２０（図２を参照。）が形成されており、この六角穴２０にボルト１３ａの頭部を嵌設することで、六角穴２０によりボルト１３ａの頭部を固定できる構造になっている。
従って、ボルト１３ａ及びナット１３ｂ（並びに、必要に応じてワッシャー１４）を用いて耕運爪１２を耕運爪ホルダー１１に固定する場合は、ボルト１３ａの頭部が耕運爪ホルダー１１の肉厚部内に嵌設されて固定される一方で、耕運爪ホルダー１１の外側面上にボルト１３ａの端部に螺合されるナット１３ｂが突出した状態になる。
そして、耕運爪ホルダー１１の外側面上に裸出するナット１３ｂを、手工具等を用いて緩める又は締め付けることで、耕運爪ホルダー１１への耕運爪１２の着脱作業を行うことができる。
【００３０】
また、本実施の形態に係る回動規制用治具１において、操作棒３上をその軸方向に第２の掛止具４をスライド可能にするための構造として、例えば、以下に示すような構造を採用してもよい。
例えば、図１，２に示すように、鉤状をなす第２の掛止具４に筒体５を一体に固設しておき、この筒体５の中空部内に操作棒３を挿通させて、操作棒３上において第２の掛止具４をスライド可能にしてもよい。
この場合、操作棒３上において第２の掛止具４をスライドさせるための構造をシンプルにすることができる。
この結果、構造が単純で破損や不具合が生じ難い回動規制用治具１を廉価に製造して提供することができるという効果を有する。
なお、図１，２では、鉤状の第２の掛止具４を筒体５の外側面上に固設する場合を例に挙げているが、筒体５に代えて、操作棒３を挿通可能な中空部を有する環状体を用いることもできる。筒体５に代えて環状体を用いる場合も、筒体５を用いる場合と同様の効果を発揮させることができる。
【００３１】
本実施の形態に係る回動規制用治具１において、操作棒３上に第２の掛止具４を固定することが出来なくとも、回動規制用治具１による耕運爪軸１０の回動規制効果の発揮には何ら支障がない。
この理由は、本実施の形態に係る回動規制用治具１を設置する場合は、第１の掛止具２に対する操作棒３の取付け角度、並びに、第２の掛止具４に対する操作棒３の取付け角度、がともに不変であるために、耕運爪軸１０（耕運爪ホルダー１１）とリアカバー１５の間に本実施の形態に係る回動規制用治具１を取り付けた状態で耕運爪軸１０を回動させようとしても、第１の掛止具２と第２の掛止具４の距離を変えることができないからである。
しかしながら、操作棒３上を第２の掛止具４がスムーズにスライドする場合は、本実施の形態に係る回動規制用治具１の装着時に、作業者が触れるなどして第２の掛止具４が、リアカバー１５の縁部１５ａから意図せず外れてしまう懸念がある。この場合は、本実施の形態に係る回動規制用治具１による耕運爪軸１０の回動規制効果を発揮させることができなくなってしまう。
このような事態を回避するために、第２の掛止具４を、操作棒３上をスライド可能にしつつ、第２の掛止具４を必要に応じて操作棒３に固定できるようにする、あるいは、第２の掛止具４が操作棒３上をスムーズにスライドできないようにしておくことが望ましい。
【００３２】
このような事情に鑑み、本実施の形態に係る回動規制用治具１は、筒体５のスライドを規制するためのスライド規制部材を備えていてもよい。
より具体的には、本実施の形態に係る回動規制用治具１は、図１，２に示すように、第１の掛止具２を備える操作棒３や、第２の掛止具４を備える筒体５とは別に、スライド規制部材としての紐６を備えていてもよい。さらに、本実施の形態に係る回動規制用治具１は、この紐６を操作棒３の胴部に掛止するためのループ３ａを備えていてもよい。
この場合、図１，２に示すように、操作棒３の胴部に形成されるループ３ａにスライド規制部材である紐６を挿通させ（図１を参照）、図２に示すように、耕運爪軸１０とリアカバー１５の間に回動規制用治具１を介設した後に、ループ３ａに挿通される紐６の両端を、例えば、第２の掛止具４に絡めて結んでおくことで（図示せず）、第２の掛止具４のスライド移動を一時的に規制することができる。
【００３３】
このように、本実施の形態に係る回動規制用治具１では、図１に示すようなスライド規制部材（例えば、紐６）を備えることで、回動規制用治具１の使用時にリアカバー１５から第２の掛止具４が不意に外れて、耕運爪軸１０が意図せず回動してしまうのを防止することができる。
また、図１に示すようなスライド規制部材（例えば、紐６）や、その取付け構造（例えば、ループ３ａ）は、その構造が極めてシンプルであるため、これらを備えた回動規制用治具１の製造も容易であり、かつ、その取扱いも容易である。
なお、図１，２では、操作棒３の胴部に、スライド規制部材である紐６を掛止するためのループ３ａを設ける場合を例に挙げて説明しているが、ループ３ａに代えて鉤状のフック（図示せず）や突起を操作棒３の胴部に設けても同様の効果を発揮させることができる。
また、紐６に代えて、弾性材からなるバンド体（図示せず）を備え、このバンド体を操作棒３のループ３ａ又はその代替物であるフックや突起に、直接又は間接的に掛止させても、同様の効果を発揮させることができる。
【００３４】
なお、図１では、第２の掛止具４のスライドを規制するためのスライド規制部材として、紐６や図示しないバンド体を、操作棒３や筒体５（又は図示しない環状体）とは別体に設ける場合を例に挙げて説明しているが、第２の掛止具４のスライドを規制するスライド規制部材は、操作棒３と筒体５（又は図示しない環状体）の間に介設されていてもよい。
【００３５】
ここで、図４を参照しながら本実施の形態に係る回動規制用治具の変形例について説明する。
図４は本発明の実施の形態に係る回動規制用治具のスライド規制部材の変形例を示す軸方向断面図である。なお、図１乃至図３に記載されたものと同一部分については同一符号を付し、その構成についての説明は省略する。
図４に示すように、本実施の形態に係る回動規制用治具の操作棒３の外側面と、筒体５又は図示しない環状体の内側面との間に、スライド規制部材として滑り止め材１６ａを介設してもよい。
この場合、操作棒３上における第２の掛止具４のスライドを好適に規制することができる。
より具体的には、滑り止め材１６ａは、図４に示すように、筒体５（又は図示しない環状体）の内側面に断面凹状の溝部５ａを形成しておき、この溝部５ａ内に滑り止め材１６ａを嵌設しておいてもよい。
あるいは、筒体５（又は図示しない環状体）の内側面に溝部５ａを形成する代わりに、操作棒３の外側面に断面凹状の溝部（図示せず）を形成しておき、この溝部に滑り止め材１６ａを嵌設しておいてもよい。
【００３６】
前者の場合は、第２の掛止具４を備えた筒体５（又は図示しない環状体）の内面に嵌設される滑り止め材１６ａが、操作棒３の外側面上を擦動することになる。また、後者の場合は、操作棒３の外側面に嵌設される滑り止め材１６ａ上を、第２の掛止具４を備えた筒体５（又は図示しない環状体）が擦動することになる。
そしていずれの場合も、操作棒３上において第２の掛止具４をスライド可能にしつつ、滑り止め材１６ａによりそのスライドを規制することができる。
よって、本実施の形態の変形例に係る回動規制用治具によれば、回動規制用治具の使用時にリアカバー１５の縁部１５ａから第２の掛止具４が不意に外れてしまうのを好適に防止して、耕運爪１２の交換作業時の安全性を高めることができる。
また、本実施の形態の変形例に係る回動規制用治具によれば、スライド規制部材である滑り止め材１６ａが、操作棒３と筒体５（又は図示しない環状体）との間に収容されるので、本実施の形態の変形例に係る回動規制用治具の外観をコンパクトにすることができる。よって、本実施の形態の変形例に係る回動規制用治具によれば、機能性が高くてより審美性の高い回動規制用治具を提供することができる。
【００３７】
さらに、図５を参照しながら本発明の実施の形態に係る回動規制用治具のスライド規制部材の他の変形例について説明する。
図５（ａ）は本発明の実施の形態に係る回動規制用治具のスライド規制部材の他の変形例を示す軸方向に対する垂直断面図であり、（ｂ）は他の変形例に係るスライド規制部材により筒体のスライドが規制されている状態を示す軸方向に対する垂直断面図である。なお、図１乃至図４に記載されたものと同一部分については同一符号を付し、その構成についての説明は省略する。
本実施の形態の他の変形例に係る回動規制用治具は、図５（ａ）に示すように、操作棒３の外側面と、筒体５の内側面の間に介設される滑り止め材１６ｂを押圧部材１９に取付けておき、この押圧部材１９を、例えば、ネジ棒１７と蝶ネジ１８とにより外部から操作可能にして、操作棒３の外側面に滑り止め材１６ｂを密着させたり、離間させたりすることができるよう構成したものでもよい。つまり、他の変形例に係る回動規制用治具は、操作棒３の外側面に押し当てられる滑り止め材１６ｂを備えている。
なお、ネジ棒１７は、図５（ａ），（ｂ）に示すように、例えば、筒体５に貫通孔５ｂを穿設しておき、この貫通孔５ｂにネジ棒１７を挿設するとともに、ネジ棒１７に蝶ネジ１８を螺合しておくことにより、筒体５の中空部内にネジ棒１７を挿脱可能に構成してもよい。
あるいは、特に図示しないが、筒体５の貫通孔５ｂに、蝶ネジ１８に相当する構成部材を一体に設けたネジ棒１７を螺挿しても同様の効果を発揮させることができる。
【００３８】
そして、図５（ａ）に示すような、第２の掛止具４のスライド規制部材を備える場合は、先の図２に示すように、耕運爪軸１０とリアカバー１５の間に、本実施の形態の他の変形例に係る回動規制用治具を取り付けた後に、蝶ネジ１８を操作してネジ棒１７及びその端部に固設される押圧部材１９を、操作棒３の外側面上に近づけていき、図５（ｂ）に示すように、押圧部材１９に設けられる滑り止め材１６ｂを操作棒３の外側面上に押し付ければよい。
この場合、操作棒３の外側面に滑り止め材１６ｂが強く押し付けられることで、操作棒３上の所望の位置に筒体５を固定することができる。つまり、操作棒３上における第２の掛止具４のスライドが規制された状態となる。
よって、図５に示すような、本実施の形態の他の変形例に係る回動規制用治具によれば、使用時の安全性がより高い回動規制用治具を提供することができる。
【００３９】
なお、上述のような滑り止め材１６ａ，１６ｂの材質としては、ゴムや合成樹脂、シリコン弾性材や、これらからなるスポンジ等を用いることができる。
また、本実施の形態に係る回動規制用治具１やその変形例に係る回動規制用治具を構成する、第１の掛止具２、操作棒３、第２の掛止具４及び筒体５（又は図示しない環状体）の材質は、十分な剛性を有している必要があるため、これらは全て金属製であることが望ましい。
【００４０】
さらに、図５に示す本実施の形態の他の変形例に係る回動規制用治具では、押圧部材１９及び／又は滑り止め材１６ｂを備えていなくとも、目的とする効果を発揮させることができる。
より具体的には、図５に示す他の変形例に係る回動規制用治具が、滑り止め材１６ｂを備えない場合は、押圧部材１９自体がスライド規制部材（滑り止め材）として操作棒３の外側面上に押し当てられることで、操作棒３上における第２の掛止具４のスライドを規制することができる。
また、図５に示す他の変形例に係る回動規制用治具が、押圧部材１９を備える一方で滑り止め材１６ｂを備えない場合は、ネジ棒１７の先端に滑り止め材１６ｂが設けられることになるが、これだけでも十分な規制効果を発揮させることができる。この場合、貫通孔５ｂからネジ棒１７が脱落しないように、貫通孔５ｂにネジ棒１７を螺挿する必要がある。
さらに、図５に示す他の変形例に係る回動規制用治具が、押圧部材１９及び滑り止め材１６ｂの両方を備えない場合は、筒体５に形成される貫通孔５ｂにネジ棒１７を螺挿し、ネジ棒１７と蝶ネジ１８を一体化させたものを用いればよい。この場合、ネジ棒１７と一体化した蝶ネジ１８を操作することで、ネジ棒１７の端部が操作棒３の外側面上に押し当てられ、これにより操作棒３上における第２の掛止具４のスライドを規制することができる。つまり、ネジ棒１７と一体化した蝶ネジ１８がスライド規制部材（滑り止め材）として機能することになる。
【００４１】
特に、第１の掛止具２を鋼製とした場合は、本実施の形態に係る回動規制用治具１やその変形例に係る回動規制用治具の強度及び耐久性を大幅に高めることができる。さらに、第１の掛止具２の強度及び耐久性が高められることで、本実施の形態に係る回動規制用治具１の安全性も大幅に向上する。
また、本実施の形態に係る回動規制用治具１やその変形例に係る回動規制用治具の強度や耐久性に支障を生じない範囲において、回動規制用治具を軽量化するために、第１の掛止具２の保持部２ａを形成する部材の一部を刳り抜いてもよい。
【００４２】
最後に、図６乃至図８を参照しながら本実施の形態に係る回動規制用治具の別の変形例について詳細に説明する。
はじめに、図６を参照しながら本実施の形態の別の変形例に係る回動規制用治具の概要について説明する。
図６（ａ）は本発明の別の変形例に係る回動規制用治具の斜視図であり、図６（ｂ）は同回動規制用治具の側面図である。なお、図１乃至図５に記載されたものと同一部分については同一符号を付し、その構成についての説明は省略する。
図６に示すように、別の変形例に係る回動規制用治具２１は主に、操作棒３の先端に着脱可能に取設されている第１の掛止具２と、操作棒３の軸方向にスライド可能に設けられている第２の掛止具２２とを備えてなるものである。
また、この別の変形例に係る回動規制用治具２１では、ネジ２６が第２の掛止具２２に螺挿されており、このネジ２６の先端が操作棒３の周側面に押し当てられることで、操作棒３上における第２の掛止具２２のスライドを規制することができるよう構成されている。
また、図６に示す別の変形例に係る回動規制用治具２１では、操作棒３の先端に第１の掛止具２が、ボルト２８（固定具）を介して着脱可能に固設されている。
この場合、操作棒３の製造と、第１の掛止具２の製造を別々に行なった後、双方をボルト２８により一体化するだけでよいので、回動規制用治具２１の製造を容易にすることができる。
【００４３】
ここで、図７を参照しながら別の変形例に係る回動規制用治具２１の第１の掛止具２について詳細に説明する。
図７は本発明の別の変形例に係る回動規制用治具における第１の掛止具の斜視図である。なお、図１乃至図６に記載されたものと同一部分については同一符号を付し、その構成についての説明は省略する。
図７に示すように、別の変形例に係る第１の掛止具２は、例えば金属製の平板材を所望の形状に切り抜いてなる平板体をかぎ状に折り曲げてなる保持部２ａ１と、この保持部２ａ１のかぎ状（湾曲状）部分と対向する位置に固設されている突板状の保持部２ａ２とを有し、この保持部２ａ１と保持部２ａ２の間に切欠き部２ｂを備えてなるものである。
このような別の変形例に係る第１の掛止具２によれば、先の図１乃至図３に示される第１の掛止具２と同じ作用効果を発揮させることができる。
【００４４】
さらに、別の変形例に係る第１の掛止具２は、図６，７に示すように、突起２ａ２の操作棒３側の端部に爪部２ｃを備えていてもよい。このように別の変形例に係る第１の掛止具２がその保持部２ａ２に爪部２ｃを備えていることで、耕運爪ホルダー１１（先の図２，３を参照）に第１の掛止具２を掛止する際に、耕運爪ホルダー１１から保持部２ａ１，２ａ２が外れてしまう、あるいは、保持部２ａ１，２ａ２の取付け位置のずれが起こるのを好適に抑制することができる。
この場合、第１の掛止具２を装着した際の耕運爪ホルダー１１の保持効果が高められ、これにより、別の変形例に係る回動規制用治具２１により耕運爪ホルダー１１を固定して耕運爪１２の交換作業を行う際の作業性を向上させることができる。
【００４５】
さらに、別の変形例に係る第１の掛止具２は、図６，７に示すように、保持部２ａ１，２ａ２に延設される平板状の連結部２ｄを備えていてもよい。
また、図７に示すようにこの連結部２ｄは、複数（図６，７では２箇所である場合を例示している）のボルト用孔２９が穿設されており、操作棒３の端部に固定具である例えばボルト２８を介して着脱可能に取設できる構造になっている。
なお、操作棒３の端部に別の変形例に係る第１の掛止具２を固定するのに要するボルト２８（固定具）の数は２以上であればその数は特定されない。
ここで、ボルト２８の数を２以上に特定する理由は、別の変形例に係る第１の掛止具２に力が作用した際に、この第１の掛止具２と操作棒３の連結部がボルト２８の中心軸を基軸に回動してしまうのを防止するためである。
なお、別の変形例に係る第１の掛止具２の連結部２ｄに対する操作棒３の取付け角度が変わらないような構造を別途備えている場合（例えば、連結部２ｄと操作棒３の端部の嵌合構造など）は、第１の掛止具２と操作棒３とを連結するボルト２８（固定具）の数は１つでもよい。
このように、別の変形例に係る回動規制用治具２１における操作棒３と回動規制用治具２１とを別体に構成しておくことで、回動規制用治具２１の生産性を向上させることができる。加えて、万一、回動規制用治具２１の使用時にその第１の掛止具２が破損した場合に、第１の掛止具２を交換するだけで回動規制用治具２１をそのまま使用し続けることができるので、回動規制用治具２１の耐用年数を長くすることができるというメリットも有する。
【００４６】
続いて、別の変形例に係る第２の掛止具２２について図８を参照しながら詳細に説明する。
図８（ａ）は本発明の別の変形例に係る回動規制用治具におけるネジを除いた第２の掛止具の斜視図であり、図８（ｂ）は同回動規制用治具における第２の掛止具の側面図であり、図８（ｃ）は同回動規制用治具における第２の掛止具の使用状態を説明する側面図である。なお、図１乃至図７に記載されたものと同一部分については同一符号を付し、その構成についての説明は省略する。
別の変形例に係る第２の掛止具２２は、図８（ａ），（ｂ）に示すように、かぎ状に折り曲げてなる板体２３と、この板体２３を厚み方向に貫通しながら設けられるネジ２６とを有してなるものである。
また、別の変形例に係る板体２３は、操作棒３を挿通させるために板体２３に穿設される一対の挿通孔２４と、この板体２３において一対の挿通孔２４の間に穿設されネジ２６を設けるためのネジ孔２５を備えてなるものである。
【００４７】
このような別の変形例に係る第２の掛止具２２では、板体２３とそれに穿設されている挿通孔２４が、先の図１，２に示される回転規制用治具１における第２の掛止具４及び筒体５の代替品として作用する。
また、別の変形例に係る第２の掛止具２２は、一枚の板体２３に予め挿通孔２４やネジ孔２５を形成したものを折り曲げることで製造することができる。
これに対して、先の図１，２に示されている回転規制用治具１における第２の掛止具４及び筒体５は、筒体５と第２の掛止具４を別々に準備しておき、例えば、これらがともに金属製である場合は、第２の掛止具４及び筒体５を溶接等により一体にする作業が必要であった。
よって、図６，８に示すような別の変形例に係る第２の掛止具２２によれば、このような溶接作業が必要ないので、その製造コストを廉価にできるというメリットを有している。
【００４８】
また、図８（ａ），（ｂ）に示すような別の変形例に係る第２の掛止具２２を用いる場合は、図８（ｃ）に示すように、この第２の掛止具２２の一対の挿通孔２４に操作棒３を挿通することで、操作棒３の周側面上において第２の掛止具２２を操作棒３の軸方向にスライドさせることが可能になる。
さらに、図８（ｃ）に示すように、別の変形例に係る第２の掛止具２２のネジ孔２５にネジ２６を螺挿し、このネジ２６をその軸を基軸に回転させて、ネジ２６の端部を操作棒３側に導出させて操作棒３の周側面に押し当てることで、操作棒３上における第２の掛止具２２のスライドを規制することができる。
つまり、別の変形例に係る第２の掛止具２２によれば、ネジ２６を備えていることで、先の図１，２及び図４，５に示す回転規制用治具１及びその変形例、あるいは、他の変形例に係る回転規制用治具と同様に、第２の掛止具２２を操作棒３の周側面上の所望の位置に固定する又はその状態を解除することができる。
【００４９】
なお、板体２３の材質としては、合成樹脂や金属を支障なく使用できるが、第２の掛止具２２の強度や耐久性を考慮すると板体２３の材質は金属であることが望ましい。
また、図６，８に示すようにネジ２６の頭部にハンドル２７を備えていてもよい。
この場合、ネジ２６の頭部の回動操作を工具によらず素手で行うことが可能になる。これにより別の変形例に係る回動規制用治具２１の操作性を大幅に向上させることができる。
【００５０】
さらに、板体２３の厚みが４.５ｍｍ以下の場合は、ネジ孔２５の内側面にネジ山を形成することが困難になる、あるいは、ネジ山を形成することができてもネジ２６としっかりと螺合させることができない等の不具合が生じる可能性がある。このような事情に鑑み、折り曲げた板体２３のかぎ状をなす部分の内側に、ネジ孔２５（内側面にネジ山を有しない）と連穿孔を形成するようにナット３１あるいはナット３１と同等の機能を有する部材を固設してもよい。
この場合、板体２３のネジ孔２５の内側面にネジ山を形成する工程を設ける必要がなくなるので、その製造工程を一層簡素にすることができる。
また、ナット３１を使用する場合は、厚みが４.５ｍｍ以下の板体２３を折り曲げ加工することで第２の掛止具２２を製造することができるので、その製造コストを一層削減することができる。
また、ナット３１及びネジ２６の両者を既製品を流用できるので、この点からも別の変形例に係る第２の掛止具２２の製造コストを廉価にできる。
【００５１】
上述のような第２の掛止具２２を備える別の変形例に係る回動規制用治具２１によれば、先の図１，２に示される回転規制用治具１や、その変形例、あるいは、他の変形例に係る回転規制用治具と同じの作用、効果を発揮させることができる。
さらに、別の変形例に係る回動規制用治具２１は、図６に示すように、第１の掛止具２が固設されない側の端部にグリップ３０を備えていてもよい。
別の変形例に係る回動規制用治具２１がグリップ３０を備えていることで、操作棒３の端部を把持し易くできる。さらに、このグリップ３０は、第２の掛止具２２の抜け止めとしての機能も発揮させることができる。
【産業上の利用可能性】
【００５２】
以上説明したように本発明は、耕運機における耕運爪軸の回動を規制するための回動規制用治具であり、農業機械に関する技術分野において利用可能である。
【符号の説明】
【００５３】
１…回動規制用治具  ２…第１の掛止具  ２ａ，２ａ１，２ａ２…保持部  ２ｂ…切欠き部  ２ｃ…爪部  ２ｄ…連結部  ３…操作棒  ３ａ…ループ  ４…第２の掛止具  ５…筒体  ５ａ…溝部  ５ｂ…貫通孔  ６…紐  １０…耕運爪軸  １１…耕運爪ホルダー（ブラケット）  １２…耕運爪  １３ａ…ボルト  １３ｂ…ナット  １４…ワッシャー  １５…リアカバー  １５ａ…縁部  １６ａ，１６ｂ…滑り止め材  １７…ネジ棒  １８…蝶ネジ  １９…押圧部材  ２０…六角穴  ２１…回動規制用治具  ２２…第２の掛止具  ２３…板体  ２４…挿通孔  ２５…ネジ孔  ２６…ネジ  ２７…ハンドル  ２８…ボルト  ２９…ボルト用孔  ３０…グリップ  ３１…ナット
【図１】
2018000193.tif 000003
【図２】
2018000193.tif 000004
【図３】
2018000193.tif 000005
【図４】
2018000193.tif 000006
【図５】
2018000193.tif 000007
【図６】
2018000193.tif 000008
【図７】
2018000193.tif 000009
【図８】
2018000193.tif 000010